(57)【要約】【目的】リュックサックを背負っての歩行時に、身体の背中とリュックサックの背面との間に障害物のない大きな空間を形成し、もって発汗作用による不快感を完全に排除した背負い心地のよいリュックサックに関する。【構成】背面の形状が外側へ傾斜角を有するリュックサック本体１の背面縦中心線の上部に一端を固定し他端を前記中心線の下方に固定した長尺の懸垂ベルト２を設け、該懸垂ベルト２の任意の一点を支点としてリュックサック本体１を吊り下げたときに上下に分岐することにより形成される懸垂ベルト２の上下２辺２−１及び２−２とリュックサック本体１の背面縦中心線の関係において形成される三角形の空間を形成すべくなすと共に、前記懸垂ベルト２に任意の位置にスライドし且つ固定可能なストッパー付スライドバックル３を挿着し、該ストッパー付スライドバックル３にリュックサックの背負いバンドの左右先端の交差部４を取り付けた構成とする。【選択図】図１
2004344607.tif 000002
【特許請求の範囲】
【請求項１】
背面の形状が外側へ傾斜角を有するリュックサック本体１の背面縦中心線の上部に一端を固定し他端を前記中心線の下方に固定した長尺の懸垂ベルト２を設け、該懸垂ベルト２の任意の一点を支点としてリュックサック本体１を吊り下げたときに上下に分岐することにより形成される懸垂ベルト２の上下２辺とリュックサック本体１の背面縦中心線の関係において形成される三角形の空間を形成すべくなすと共に、前記懸垂ベルト２に任意の位置にスライドし且つ固定可能なストッパー付スライドバックル３を挿着し、該ストッパー付スライドバックル３にリュックサックの背負いバンドの左右先端の交差部４を取り付けたことを特徴とするリュックサック。
【発明の詳細な説明】
【０００１】
【産業上の利用分野】
本発明は、リュックサックを背負っての歩行時に、身体の背中とリュックサックの背面とが密着することによって生じる発汗によるべとつき等の不快感を排除する背負い心地の良いリュックサックに関するものである。
【０００２】
【従来技術】
従来技術としては、リュックサックの背面の左右両側を紐帯により弓状に上下に引っ張り、背中とリュックサックの背面との間に間隙を形成して空気の流通を図るものや、リュックサック背面に格子状の楕円筒を一定間隔をおいて梯子状に並べこの楕円筒と背中との間に空気の流通路を形成するもの、また、柔軟性を有する長尺材を数条適当な間隔をおいてリュックサック背面に縦列させて身体の背中との間に隙き間を形成して空気の流通を良くさせるもの、更にバッグ本体の背面地の両側部に棒状の背当て材を左右に間隔をおいて上下方向に配列し着用者の背中とバッグ本体の背面地との間に空間を形成し、且つ、左右の肩掛けバンドの上部に着用者の前面側から風を導入する外気取り入れ口を有するトンネル状のフードを設け、着用者の前進による向かい風をこのフードに導入して通気部から背中とバッグ背面との間に形成された空間部に外気を流入させ、背中とバッグ背面との間に生じる発汗作用による湿度を除去する構成としたもの、その他これらに類似するものが存在する。
【０００３】
【発明が解決しようとする課題】
従来技術によれば、前記の如く、リュックサック背面に楕円筒や柔軟性のある長尺材或は棒状の背当て材を用いて背中とリュックサック背面との間に外気が流通する空間を形成することが基本的な技術内容となっている。つまり、リュックサック背面にリブ状の間隙材を設けて、この間隙材と間隙材の間に空気の流通路を形成することが欠くことのできない技術構成となっている。この場合の技術思想は、あくまでも人体の背中とリュックサックの背面とを間隙材を介して分離させると同時に空気の流通路を形成し、もって間隙材が例えれば橋脚の役目を果たすことによりリュックサックが背中にきっちりフィツトしてホールドされることが前提条件となっている。この場合の問題点は、その構造において複雑であること、身体の背中とリュックサックとの間に何の障害物（例えば楕円筒や長尺材又は背当て材等の間隙材）もない完全な空間を形成することが出来ず、間隙材そのものが空気流通の阻害要因ともなり、完全な通気効果が得難くいという問題点があった。本考案は間隙材を使用せずに空気流通の阻害要因を完全に排除すると同時に、歩行時における上半身の捻じれと腰部の捩じれの逆動を柔軟に吸収してリュックサックが背中に安定的にホールドされ、かつ、空気の流通路の形状を自在に調節できるものにすることを課題とする。
【０００４】
【課題を解決するための手段】
前記課題を解決するために、リュックサック本体の背面と身体の背中との間に間隙材を全く用いずに簡単に空気を流通させる空間を形成するために次の手段を講ずる。即ち、側断面の形状がリュックサック本体の背中側において底辺から上方に向かう鉛直線に対して一定角度をもつ傾斜角のある形状となすとと共に、傾斜するリュックサック本体の背面中心線の上部に一端を固定し、他端をその中心線の下方に固定し、且つ、前記中心線の上部固定部分と中心線の下方固定部分の直線寸法よりも長い懸垂ベルトを取り付ける。該懸垂ベルトは丁度凧の吊り下げ糸のように、ベルト状の一点を支点にしたとき、この支点により分岐された上下を２辺とし懸垂ベルトの上部固定部分と下部固定部分との間隔を１辺とする三角形を形成するように取り付ける。また、該懸垂ベルトには、懸垂ベルトに沿って摺動可能であり、且つ任意の位置で固定可能なストッパー機能の有るスライドバックルを挿着する。更に該ストッパー付スライドバックルにリュックサックを背負うための左右背負いバンドの交差部分の遊端部先端を取り付ける構成とする。
【０００５】
【作用】
前記の手段によれば、リュックサックを背負ったときに、リュックサック本体の背面縦中心線を１辺とし、左右背負いバンドの交差部でのつり下げ位置を頂点として上下に分岐形成される懸垂ベルトの上下２辺による三角形の空間が形成され、人体の背中とリュックサック本体背面に三角形の空間が形成されリュックサック背面が背中に密着することがない。本来はリュックサックは背中に密着して背負うことが理想であり一番安定し且つ重量が鉛直線上で腰部で支えられるために楽であると言われている。この理論からすれば、リュックサックと背中との間に三角形のすき間を作れば後方に引っ張られ非常に背負い難く不合理な背負い方になる弊害があると考えられてきた。しかし本案では、先ずリュックサックの背中に面する部分、即ち背面を外側に傾斜させて、背面底部中心から上に向かう鉛直線とリュックサック背面との間に角度を持たせると共に、ストッパー付スライドバックルを懸垂ベルトに挿着して重量に合わせて支点の位置をコントロールし、最も理想的なバランスの良い位置に支点を移動させることにより、前記の弊害を解決することができるような作用がある。。この作用はリュックサックの背面に底面中央から上方に向かう鉛直線に対して一定角度の外傾角を持たせて、懸垂ベルトにより肩から吊り下げることにより、リュックサックの重量により後方に引っ張られる重力のモーメントが鉛直線下方に向かって働く結果、重量による引力が大きく分散されるという原理に基づくものものである。又同時に、懸垂ベルトの一支点でリュックサックを吊り下げることにより、肩の動きが直接的にリュックサックに干渉しなくなり、歩行時の肩の捻じれと腰の捩じれの逆動の影響でリュックサックが左右に大きく揺れることがなくなり、もって、身体の動きに左右されることなく安定的に背負えるという作用がある。
【０００６】
【実施例】
本発明の実施例を図面により説明すれば、１はリュックサック本体であって、底面中央から上方に向かう鉛直線に対して外側に傾斜角を形成したものである。２は懸垂ベルトであって、該懸垂ベルト２はリュックサック本体１の背面縦中心線の上部と下部に上下先端を取り付け、任意の位置を支点としてリュックサックをつり下げたときに支点の上下に上辺２−１及び下辺２−２の２辺を形成して、前記背面縦中心線への上部取り付け位置と下部取り付け位置の間隔を他の１辺とした三角形を呈する長さ寸法とする。３はストッパー付スライドバックルであって、前記懸垂ベルト２に摺動自在に挿着すると共に、懸垂ベルト２の任意の位置で固定可能なものある。４は左右背負いバンドの交差部であって、交差部の先端をストッパー付スライドバックル３に固着したものである。
【０００７】
【発明の効果】
本発明によれば、従来技術の問題点であったリュックサックの背面と身体の背中との間にすき間をあけて空気流通路を確保するために、リュックサック背面に格子状の楕円筒や長尺材を梯子状或は縦列的に設けたり、または、棒状の背当て材やトンネル状の通気用フードを設ける等の複雑な構造を必要とせずに極めてシンプルな構造で、かつ何の障害物もない効率的な空気の流通路が確保でき、しかも空気流通路の形状や面積を自然環境や荷物の体積、また重量に併せて背中との間隔を調節することができるという格別の効果のほか、歩行に際して、腕を振ることによる肩の振りと腰の捩じれの逆動によるリュックサックの振れを吸収して安定した背負い方ができる効果がある。
【０００８】
【図面の簡単な説明】
【図１】リュックサック本体の背面図からの斜視図である。
【図２】リュックサック本体の側面図である。
【図３】懸垂ベルト及び背負いバンドの関係を示す側面拡大図である。
【図４】懸垂ベルトと背負いバンドの取り付け状態を示す斜視図ある。
【符号の説明】
１、    リュックサック本体
２、    懸垂ベルト
２−１、懸垂ベルトの上辺
２−２、懸垂ベルトの下辺
３、    ストッパー付スライドバックル
４、    左右背負いバンドの交差部
【図１】
2004344607.tif 000003
【図２】
2004344607.tif 000004
【図３】
2004344607.tif 000005
【図４】
2004344607.tif 000006